【手続補正書】
【提出日】平成18年2月3日(2006.2.3)
【手続補正１】
【補正対象書類名】明細書
【補正対象項目名】特許請求の範囲
【補正方法】変更
【補正の内容】
【特許請求の範囲】
【請求項１】  〔Ｉ〕（Ａ）イソプレン成分の含有量が１〜２モル％のイソブチレン・イソプレン共重合体、（Ｂ）水添率が９０％以上の水素化ポリブタジエン、（Ｃ）エチレン・α−オレフィン系共重合体、および（Ｄ）加硫剤を含有し、〔II〕（Ａ）成分の含有量が２０〜６０重量％、（Ｂ）成分の含有量が２０〜８０重量％、（Ｃ）成分の含有量が０〜６０重量％である（ここで、（Ａ）成分、（Ｂ）成分および（Ｃ）成分の合計量を１００重量％とする）ことを特徴とするゴム組成物。
【請求項２】  上記（Ａ）イソブチレン・イソプレン共重合体のムーニー粘度（ＭＬ１＋８，１２５℃）が２０〜８０である請求項１に記載のゴム組成物。
【請求項３】 上記（Ｂ）水素化ポリブタジエンの１，２−ビニル結合含量が２０〜８０％である請求項１又は２に記載のゴム組成物。
【請求項４】  上記（Ｃ）エチレン・α−オレフィン系共重合体がエチレン・α−オレフィン・非共役ポリエン共重合体である請求項１〜３のいずれか１項に記載のゴム組成物。
【請求項５】  上記（Ｃ）エチレン・α−オレフィン系共重合体におけるエチレンとα−オレフィンの重量比（エチレン／α−オレフィン）が、２０／８０〜９０／１０である請求項１〜４のいずれか１項に記載のゴム組成物。
【請求項６】  上記（Ｃ）エチレン・α−オレフィン系共重合体のヨウ素価が５〜２５である請求項１〜５のいずれか１項に記載のゴム組成物。
【請求項７】  上記（Ｃ）エチレン・α−オレフィン系共重合体のムーニー粘度（ＭＬ１＋４，１００℃）が、２０〜２００である請求項１〜６のいずれか１項に記載のゴム組成物。
【手続補正２】
【補正対象書類名】明細書
【補正対象項目名】０００６
【補正方法】変更
【補正の内容】
【０００６】
【課題を解決するための手段】
本発明によれば、下記構成のゴム組成物が提供されて、上記本発明の目的が達成される。
（１）〔Ｉ〕（Ａ）イソプレン成分の含有量が１〜２モル％のイソブチレン・イソプレン共重合体、（Ｂ）水添率が９０％以上の水素化ポリブタジエン、（Ｃ）エチレン・α−オレフィン系共重合体、および（Ｄ）加硫剤を含有し、〔II〕（Ａ）成分の含有量が２０〜６０重量％、（Ｂ）成分の含有量が２０〜８０重量％、（Ｃ）成分の含有量が０〜６０重量％である（ここで、（Ａ）成分、（Ｂ）成分および（Ｃ）成分の合計量を１００重量％とする）ことを特徴とするゴム組成物。
（２）上記（Ａ）イソブチレン・イソプレン共重合体のムーニー粘度（ＭＬ１＋８，１２５℃）が２０〜８０である上記（１）に記載のゴム組成物。
（３）上記（Ｂ）水素化ポリブタジエンの１，２−ビニル結合含量が２０〜８０％である上記（１）または（２）に記載のゴム組成物。
（４）上記（Ｃ）エチレン・α−オレフィン系共重合体がエチレン・α−オレフィン・非共役ポリエン共重合体である上記（１）〜（３）のいずれかに記載のゴム組成物。
（５）上記（Ｃ）エチレン・α−オレフィン系共重合体におけるエチレンとα−オレフィンの重量比（エチレン／α−オレフィン）が、２０／８０〜９０／１０である上記（１）〜（４）のいずれかに記載のゴム組成物。
（６）上記（Ｃ）エチレン・α−オレフィン系共重合体のヨウ素価が５〜２５である上記（１）〜（５）のいずれかに記載のゴム組成物。
（７）上記（Ｃ）エチレン・α−オレフィン系共重合体のムーニー粘度（ＭＬ１＋４，１００℃）が、２０〜２００である上記（１）〜（６）のいずれかに記載のゴム組成物。
【手続補正３】
【補正対象書類名】明細書
【補正対象項目名】００１１
【補正方法】変更
【補正の内容】
【００１１】
（Ｃ）成分の非共役ポリエンとして、具体的に５−エチリデン−２−ノルボルネン、ジシクロペンタジエン、５−プロピリデン−２−ノルボルネン、５−ビニル−２−ノルボルネン、２，５−ノルボルナジエン、１，４−シクロヘキサジエン、１，４−シクロオクタジエン、１，５−シクロオクタジエンなどの環状ポリエン；１，４−ヘキサジエン、１，６−オクタジエン、７−メチル−１，６−オクタジエン、５，７−ジメチル−１，６−オクタジエン、１，７−ノナジエンなどの内部不飽和結合を有する鎖状ポリエンなどが挙げられる。なかでも、５−エチリデン−２−ノルボルネン、ジシクロペンタジエン、７−メチル−１，６−オクタジエン、５，７−ジメチル−１，６−オクタジエン、４−エチリデン−８−メチル−１，７−ノナジエンが好ましい。これらの非共役ポリエンは、１種単独であるいは２種以上を組み合わせて使用することができる。
【手続補正４】
【補正対象書類名】明細書
【補正対象項目名】００１２
【補正方法】変更
【補正の内容】
【００１２】
（Ｃ）エチレン・α−オレフィン系共重合体は、エチレンとα−オレフィンが、重量比で（エチレン／α−オレフィン）、２０／８０〜９０／１０の割合で共重合していることが好ましく、より好ましくは３０／７０〜８５／１５の割合である。ヨウ素価は５〜２５であることが好ましく、より好ましくは１０〜２０である。また、ムーニー粘度（ＭＬ１＋４,１００℃）は２０〜２００であることが好ましく、より好ましくは５０〜１５０である。
【手続補正５】
【補正対象書類名】明細書
【補正対象項目名】００１４
【補正方法】変更
【補正の内容】
【００１４】
本発明のゴム組成物に含有される（Ｄ）加硫剤としては、下記の（ｉ）硫黄、無機系加硫剤もしくは含硫黄有機化合物系加硫剤、および（ii）樹脂加硫剤を挙げることができる。
（ｉ）硫黄、無機系加硫剤もしくは含硫黄有機化合物系加硫剤
具体的には、粉末硫黄、沈降硫黄、コロイド硫黄、不溶性硫黄などの硫黄；塩化イオウ、セレン、テルルなどの無機系加硫剤；モルホリンジスルフィド、アルキルフェノールジスルフィド類、チウラムジスルフィド類、ジチオカルバミン酸塩類などの含硫黄有機化合物系加硫剤などが挙げられる。これらの化合物は、１種単独であるいは２種以上を組み合わせて使用することができる。（ｉ）硫黄、無機系加硫剤もしくは含硫黄有機化合物系加硫剤の配合量は、（Ａ）成分、（Ｂ）成分および（Ｃ）成分の合計量１００重量部に対して、通常０．１〜１０重量部、好ましくは０．５〜５重量部である。
【手続補正６】
【補正対象書類名】明細書
【補正対象項目名】００１５
【補正方法】変更
【補正の内容】
【００１５】
（ii）樹脂加硫剤
具体的には、アルキルフェノール・ホルムアルデヒド樹脂、メラミン−ホルムアルデヒド縮合物およびトリアジン−ホルムアルデヒド縮合物などが挙げられる。上記（ii）樹脂加硫剤の配合量は、（Ｂ）成分と（Ｃ）成分の合計量１００重量部に対して、通常０．５〜３０重量部、好ましくは１〜２０重量部である。
【手続補正７】
【補正対象書類名】明細書
【補正対象項目名】００１６
【補正方法】変更
【補正の内容】
【００１６】
本発明のゴム組成物には、上記（ｉ）の加硫剤とともに、下記の加硫促進剤を併用することができる。加硫促進剤として、例えばアルデヒドアンモニア類、グアニジン類、チオウレア類、チアゾール類、スルフェンアミド類、チウラム類、カルバミン酸塩類、キサントゲン酸塩類などが挙げられる。これらの加硫促進剤は、１種単独であるいは２種以上を組み合わせて使用することができる。加硫促進剤の配合量は、（Ａ）成分、（Ｂ）成分および（Ｃ）成分の合計量１００重量部に対して、通常０．１〜２０重量部、好ましくは０．２〜１０重量部である。
【手続補正８】
【補正対象書類名】明細書
【補正対象項目名】００１７
【補正方法】変更
【補正の内容】
【００１７】
また、上記（ｉ）の加硫剤および加硫促進剤に加え、必要に応じて、活性剤を添加することもできる。このような活性剤としては、例えば、酸化マグネシウム、酸化亜鉛、リサージ、鉛丹、鉛白などの金属酸化物、ステアリン酸、オレイン酸、ステアリン酸亜鉛などの有機酸（塩）類などが挙げられ、特に酸化亜鉛、ステアリン酸が好ましい。これらの活性剤は、１種単独であるいは２種以上を組み合わせて使用することができる。上記活性剤の配合量は、（Ａ）成分、（Ｂ）成分、（Ｃ）成分の合計量１００重量部に対して、通常０．５〜２０重量部である。
【手続補正９】
【補正対象書類名】明細書
【補正対象項目名】００１８
【補正方法】変更
【補正の内容】
【００１８】
また、上記（ii）樹脂加硫剤とともに、下記の加硫促進剤を併用することができる。このような加硫促進剤としては、パラトルエンスルホン酸・１水和物、アルキルベンゼンスルホン酸などの有機酸、塩化第一錫などの無機酸が挙げられる。これらの加硫促進剤は、１種単独であるいは２種以上を組み合わせて使用することができる。加硫促進剤の配合量は、（Ｂ）成分と（Ｃ）成分の合計量１００重量部に対して、通常０．１〜２０重量部、好ましくは０．３〜１０重量部である。
【手続補正１０】
【補正対象書類名】明細書
【補正対象項目名】００３０
【補正方法】変更
【補正の内容】
【００３０】
【表２】
2001164050.tif 000001
【手続補正１１】
【補正対象書類名】明細書
【補正対象項目名】００３１
【補正方法】変更
【補正の内容】
【００３１】
【表３】
2001164050.tif 000002
【手続補正１２】
【補正対象書類名】明細書
【補正対象項目名】００３２
【補正方法】変更
【補正の内容】
【００３２】
【表４】
2001164050.tif 000003
【手続補正１３】
【補正対象書類名】明細書
【補正対象項目名】００３３
【補正方法】変更
【補正の内容】
【００３３】
【表５】
2001164050.tif 000004
【手続補正１４】
【補正対象書類名】明細書
【補正対象項目名】００３４
【補正方法】変更
【補正の内容】
【００３４】
（表２および表３の各成分の説明）
上記表２、３で用いられた各成分は下記の通りである。
（１）ＩＩＲ−１：ＪＳＲ（株）製、商品名ＩＩＲ２６８、イソブチレン・イソプレン共重合体（不飽和度：１．５モル％）
（２）ＩＩＲ−２：ＪＳＲ（株）製、商品名ＩＩＲ０６５、イソブチレン・イソプレン共重合体（不飽和度：０．８モル％）
（３）水添ＰＢＤ−１：ＪＳＲ（株）試作品、９８％水添化されたポリブタジエン（ビニル結合量：５０．５％、ムーニー粘度（ＭＬ１＋４，１００℃）：７０）
（４）水添ＰＢＤ−２：ＪＳＲ（株）試作品、８５％水添化されたポリブタジエン（ビニル結合量：５０．２％、ムーニー粘度（ＭＬ１＋４，１００℃）：５２）
（５）ＥＰＤＭ：ＪＳＲ（株）製、商品名ＥＰ２７、エチレン・プロピレン・５−エチリデ ン−２−ノルボルネン共重合体（エチレン含量：５６．５重量％、ヨウ素価：１５．０）
（６）ＡｃｃＤＭ：大内新興化学工業（株）製、商品名ノクセラーＤＭ、物質名ジベンゾチアジルジスルフィド
（７）ＡｃｃＴＳ：大内新興化学工業（株）製、商品名ノクセラーＴＳ、物質名テトラメチルチウラムモノスルフィド
（８）タッキロール２５０：田岡化学（株）製、商品名タッキロール２５０、物質名アルキルフェノールホルムアルデヒド樹脂
（９）ＺｎＯ＃１：白水化学（株）製、商品名酸化亜鉛２種、物質名酸化亜鉛
（１０）ＣＢＨＡＦ：東海カーボン（株）製、商品名シースト３
（１１）Ｎ−Ｏｉｌ：日本石油（株）製、商品名コウモレックス２号プロセスオイル、物質名ナフテン系オイル
（１２）ＰＥＧ４０００：三洋化成（株）製、物質名数平均分子量４０００のポリエチレングリコール